(57)【要約】【課題】  ウェブサイトを介して地図情報を提供する際に、そのＵＲＬにパラメータとその値とを含め、その値を変換することでその情報を地図情報と併せて表示する地図情報提供システムを提供することを目的とする。【解決手段】  ＵＲＬをカスタマイズ希望者端末に渡す入力画面表示要求受付手段と、入力された情報等を受け付けて所定の方法で変換し、それを付加した新たなＵＲＬを生成してカスタマイズ希望者端末に渡すＵＲＬ生成手段と、地図情報表示要求を利用者端末から受け付ける地図情報表示要求受付手段と、新たなＵＲＬに含まれるパラメータとその値とに基づいて、その値を所定の方法で変換するパラメータ変換手段と、位置情報に対応する地図情報を検索する地図情報検索手段と、検索した地図情報において、変換した情報を併せて表示させて利用者端末に送信する地図情報送信手段と、を有する地図情報提供システムである。【選択図】  図１
2007213128.tif 000002
【特許請求の範囲】
【請求項１】
利用者が利用する利用者端末に対して、前記利用者が指定した所定地点に関する情報を、地図情報と併せて表示させる地図情報提供システムであって、
前記地図情報提供システムは、
位置情報に対応する地図情報を記憶する地図情報記憶手段と、
カスタマイズ希望者が利用するカスタマイズ希望者端末から、所定地点に関する情報の入力画面の表示要求を受け付け、前記カスタマイズ希望者端末から受け付けた、前記所定地点の位置情報をパラメータの値として含めたＵＲＬを前記カスタマイズ希望者端末に渡す入力画面表示要求受付手段と、
前記入力画面の所定の入力項目に入力された情報とＵＲＬの生成要求とを受け付け、前記入力された情報を所定の方法で変換し、前記ＵＲＬのパラメータとして前記入力項目を、その値として前記変換された情報を、前記カスタマイズ希望者端末に渡した前記ＵＲＬのパラメータとして付加した新たなＵＲＬを生成して前記カスタマイズ希望者端末に渡すＵＲＬ生成手段と、
前記新たなＵＲＬが選択されたことにより地図情報表示要求を前記利用者端末から受け付ける地図情報表示要求受付手段と、
前記新たなＵＲＬに含まれるパラメータとその値とに基づいて、その値を所定の方法で変換するパラメータ変換手段と、
前記新たなＵＲＬに含まれる位置情報を示すパラメータとその値とに基づいて、その位置情報に対応する地図情報を前記地図情報記憶手段から検索する地図情報検索手段と、
前記検索した地図情報において、前記パラメータ変換手段で変換した情報を併せて表示し、それを前記利用者端末に送信する地図情報送信手段と、
を有することを特徴とする地図情報提供システム。
【請求項２】
前記地図情報提供システムは、更に、
前記ＵＲＬ生成手段で生成した新たなＵＲＬのうち、パラメータの部分を所定の方法で暗号化する暗号化処理手段と、
前記新たなＵＲＬに含まれるパラメータのうち、暗号化されていることを示すパラメータがある場合には、そのパラメータの値を所定の方法で復号化する復号化処理手段と、を有しており、
前記ＵＲＬ生成手段は、前記暗号化処理手段でパラメータの部分を暗号化した、新たなＵＲＬを前記カスタマイズ希望者端末に渡し、
前記パラメータ変換手段は、前記新たなＵＲＬに含まれるパラメータのうち、暗号化されていることを示すパラメータがある場合には、その値を前記復号化処理手段に渡し、
前記復号化処理手段は、前記パラメータを所定の方法で復号化して前記パラメータ変換手段に渡し、
前記パラメータ変換手段は、前記復号化処理手段から受け取った復号化されたパラメータとその値とに基づいて、その値を所定の方法で変換する、
ことを特徴とする請求項１に記載の地図情報提供システム。
【請求項３】
前記地図情報送信手段は、
前記新たなＵＲＬのパラメータの値として含まれる位置情報の位置に、前記変換した情報を重畳して表示する、
ことを特徴とする請求項１に記載の地図情報提供システム。
【請求項４】
前記地図情報送信手段は、
前記新たなＵＲＬのパラメータの値として含まれる位置情報の位置に、吹き出しを重畳して表示し、その中に前記変換した情報を表示する、
ことを特徴とする請求項３に記載の地図情報提供システム。
【請求項５】
前記パラメータ変換手段は、
前記ＵＲＬ生成手段で、入力された情報を変換した方法とは逆変換の方法で、前記ＵＲＬに含まれたパラメータの値を変換する、
ことを特徴とする請求項１又は請求項２に記載の地図情報提供システム。
【発明の詳細な説明】
【技術分野】
【０００１】
本発明は、ウェブサイトを介して地図情報を提供する際に、そのＵＲＬにパラメータとその値とを含め、その値を変換することでその情報を地図情報と併せて表示する地図情報提供システムに関する。
【背景技術】
【０００２】
インターネットにおいて、ウェブサイトを介して地図情報を提供するサービスが行われている。この地図情報の提供サービスでは、利用者に対して様々な情報を提供するために、例えば地図上の飲食店のある位置に、そこが飲食店であることを示す印（アイコンなど）を設け、利用者がそのアイコンをクリックすることでその飲食店に関する情報を取得する、などのシステムが下記特許文献１に開示されている。
【０００３】
また特許文献１に開示されたシステムの場合、地図上にはアイコンが表示されるのみで、利用者はそのアイコンをクリックしなければ情報を閲覧することが出来ない。そこで、アイコンの代わりに、その飲食店などがある位置に、その飲食店に関する情報を吹き出しのように表示するシステムもある。
【０００４】
しかしこのシステムでは、吹き出しの中に情報を表示するため、利用者が検索したい位置付近で登録されている飲食店等の総ての情報を表示することは出来ない。そうすると今度は地図が見えなくなってしまうからである。そこで一般的には、利用者がキーワードで地図の検索をしたときに、そのキーワードに合致する飲食店等があるかを公知の情報提供データベースで検索し、一致する飲食店があればその情報提供データベースから、例えば飲食店の物件名称、住所、電話番号等の情報を取得して、吹き出しの中に情報を表示する構成としている。
【０００５】
例えば、利用者が「六本木ヒルズ」の地図情報を取得したい場合、地図情報提供システムの所定のキーワード入力欄に「六本木ヒルズ」と入力する。その入力を地図情報提供システムで受け取り、六本木ヒルズ周辺の地図を検索すると共に、例えば情報提供データベースにキーワードとして「六本木ヒルズ」を渡す。そして情報提供データベースは、「六本木ヒルズ」に対応する物件名称、住所、電話番号等の情報を地図情報提供システムに返す。これを受け取った地図情報提供システムは、六本木ヒルズ周辺の地図に、六本木ヒルズのある位置に物件名称、住所、電話番号等の情報を吹き出しの中に重畳して表示させる。このように構成することで、利用者は六本木ヒルズ周辺の地図と、六本木ヒルズの物件名称、住所、電話番号等を知ることが出来る。
【０００６】
【特許文献１】特開平９−３４９０２号公報
【発明の開示】
【発明が解決しようとする課題】
【０００７】
上述のような従来の地図情報提供システムの場合、情報を提供するためには情報提供データベースが必要となり、それに登録されている情報でなければ表示することが出来ない。また地図情報の検索の他、情報提供データベースからキーワード検索を行うため、その処理時間も必要となり、全体的なレスポンスが悪くなる問題点がある。
【課題を解決するための手段】
【０００８】
そこで本願発明者は、情報提供データベースを用いずとも、ＵＲＬにパラメータの値としてこれらの情報を含め、その情報を読み取り変換することで地図上でその情報を表示可能とする地図情報提供システムを発明した。
【０００９】
請求項１の発明は、利用者が利用する利用者端末に対して、前記利用者が指定した所定地点に関する情報を、地図情報と併せて表示させる地図情報提供システムであって、前記地図情報提供システムは、位置情報に対応する地図情報を記憶する地図情報記憶手段と、カスタマイズ希望者が利用するカスタマイズ希望者端末から、所定地点に関する情報の入力画面の表示要求を受け付け、前記カスタマイズ希望者端末から受け付けた、前記所定地点の位置情報をパラメータの値として含めたＵＲＬを前記カスタマイズ希望者端末に渡す入力画面表示要求受付手段と、前記入力画面の所定の入力項目に入力された情報とＵＲＬの生成要求とを受け付け、前記入力された情報を所定の方法で変換し、前記ＵＲＬのパラメータとして前記入力項目を、その値として前記変換された情報を、前記カスタマイズ希望者端末に渡した前記ＵＲＬのパラメータとして付加した新たなＵＲＬを生成して前記カスタマイズ希望者端末に渡すＵＲＬ生成手段と、前記新たなＵＲＬが選択されたことにより地図情報表示要求を前記利用者端末から受け付ける地図情報表示要求受付手段と、前記新たなＵＲＬに含まれるパラメータとその値とに基づいて、その値を所定の方法で変換するパラメータ変換手段と、前記新たなＵＲＬに含まれる位置情報を示すパラメータとその値とに基づいて、その位置情報に対応する地図情報を前記地図情報記憶手段から検索する地図情報検索手段と、前記検索した地図情報において、前記パラメータ変換手段で変換した情報を併せて表示し、それを前記利用者端末に送信する地図情報送信手段と、を有する地図情報提供システムである。
【００１０】
本発明のように構成することで、地図上で表示する情報をＵＲＬのパラメータとして含ませ、そのパラメータによって情報を地図上で表示することが出来る。これにより、従来のように公知の情報提供データベースを利用しなくても済み、またその処理時間も少なくなる。更に、パラメータをカスタマイズ希望者が事由に変更することが出来るので、利用者に対して提供する情報も自由に編集することが出来る。
【００１１】
請求項２の発明において、前記地図情報提供システムは、更に、前記ＵＲＬ生成手段で生成した新たなＵＲＬのうち、パラメータの部分を所定の方法で暗号化する暗号化処理手段と、前記新たなＵＲＬに含まれるパラメータのうち、暗号化されていることを示すパラメータがある場合には、そのパラメータの値を所定の方法で復号化する復号化処理手段と、を有しており、前記ＵＲＬ生成手段は、前記暗号化処理手段でパラメータの部分を暗号化した、新たなＵＲＬを前記カスタマイズ希望者端末に渡し、前記パラメータ変換手段は、前記新たなＵＲＬに含まれるパラメータのうち、暗号化されていることを示すパラメータがある場合には、その値を前記復号化処理手段に渡し、前記復号化処理手段は、前記パラメータを所定の方法で復号化して前記パラメータ変換手段に渡し、前記パラメータ変換手段は、前記復号化処理手段から受け取った復号化されたパラメータとその値とに基づいて、その値を所定の方法で変換する、地図情報提供システムである。
【００１２】
ＵＲＬのパラメータは、誰でも簡単に見ることができてしまう。そうすると例えば電話番号のような情報を含めておくと、悪用されるおそれもある。そこでＵＲＬのパラメータの情報を暗号化すると良い。
【００１３】
請求項３の発明において、前記地図情報送信手段は、前記新たなＵＲＬのパラメータの値として含まれる位置情報の位置に、前記変換した情報を重畳して表示する、地図情報提供システムである。
【００１４】
本発明のように、所定地点に関する情報は、地図情報で重畳して表示すると良い。
【００１５】
請求項４の発明において、前記地図情報送信手段は、前記新たなＵＲＬのパラメータの値として含まれる位置情報の位置に、吹き出しを重畳して表示し、その中に前記変換した情報を表示する、地図情報提供システムである。
【００１６】
重畳する際には、本発明のように吹き出し形式で表示すると、利用者にとって分かりやすいものとなる。
【００１７】
請求項５の発明において、前記パラメータ変換手段は、前記ＵＲＬ生成手段で、入力された情報を変換した方法とは逆変換の方法で、前記ＵＲＬに含まれたパラメータの値を変換する、地図情報提供システムである。
【００１８】
変換・逆変換はこのような対応付けで処理すると、処理の利便性がある。
【発明の効果】
【００１９】
本発明のような構成とすることによって、従来のように公知の情報提供データベースを用いずとも、ＵＲＬにパラメータの値としてこれらの情報を含めるだけでその情報を地図上で表示することが出来る。また情報提供データベースでの検索も不要となるので、全体的な処理も高速化することが出来る。
【発明を実施するための最良の形態】
【００２０】
本発明のシステム構成の一例を図１に示す。本発明の地図情報提供システム１は、利用者が利用するコンピュータ端末（利用者端末２）から地図情報の表示要求、ＵＲＬをカスタマイズしたい者（カスタマイズ希望者）が利用するコンピュータ端末（カスタマイズ希望者端末１０）からＵＲＬの生成要求を受け付け、その制御処理を行うサーバである。このサーバは、プログラムの演算処理を実行するＣＰＵなどの演算装置と、情報を記憶するＲＡＭやハードディスクなどの記憶装置と、演算装置の処理結果や記憶装置に記憶する情報をインターネットやＬＡＮなどのネットワークを介して送受信する通信装置とを少なくとも有している。地図情報提供システム１を構成する各機能は、その処理を実行する手段（プログラムやモジュールなど）が演算装置に読み込まれることで本発明の処理が実行される。各手段は、記憶装置に記憶した情報をその処理において利用する場合には、該当する情報を当該記憶装置（データ格納部）から読み出し、読み出した情報を適宜、演算装置における処理に用いる。また当該サーバには、キーボードやマウスなどの入力装置、ディスプレイなどの表示装置を有していても良い。
【００２１】
地図情報提供システム１は、入力画面表示要求受付手段３とＵＲＬ生成手段４と地図情報表示要求受付手段５とパラメータ変換手段６と地図情報検索手段７と地図情報記憶手段８と地図情報送信手段９とを有している。
【００２２】
ＵＲＬ生成受付手段は、地図上において、図４に示すような、物件名称、住所、電話番号等の情報を表示する為に、ＵＲＬにウェブサーバのアドレスの他、パラメータとその値とを含ませたＵＲＬを生成する要求を、カスタマイズ希望者端末１０から受け付ける手段である。
【００２３】
ＵＲＬ生成手段４は、ＵＲＬ生成受付手段で受け付けた生成要求に基づいて、物件名称、住所、電話番号等の予め定められた項目の情報を、各項目毎に所定の方法で変換し、ＵＲＬにウェブサーバのアドレスの他、変換した情報をパラメータの値として含ませたＵＲＬを生成する手段である。物件名称、住所、電話番号等の情報の変換は如何なる方法を用いることも出来るが、変換後の情報は、ＵＲＬのパラメータとして使用することが出来る情報でなければならない。
【００２４】
地図情報表示要求受付手段５は、地図情報の表示を希望する利用者の利用者端末２から、地図情報の表示要求を受け付ける手段である。
【００２５】
パラメータ変換手段６は、ＵＲＬに含まれるパラメータの値を所定の方法で、物件名称、住所、電話番号等の所定の言語に逆変換する手段である。これは、ＵＲＬ生成手段４で、物件名称、住所、電話番号等の情報をパラメータに変換したのと逆変換を行う。
【００２６】
地図情報検索手段７は、ＵＲＬのパラメータの値として含まれる緯度経度の情報に基づいて、その緯度経度周辺の地図情報（地図の画像情報）を地図情報記憶手段８から検索する手段である。
【００２７】
地図情報記憶手段８は、地図情報提供システム１で利用者に対して提供する地図情報を記憶する手段であり、緯度経度等の位置情報に基づいて、その周辺が検索可能なように構成されている。地図情報検索手段７、地図情報記憶手段８における処理は、公知の地図情報提供システム１と同様の処理で良い。
【００２８】
地図情報送信手段９は、地図情報検索手段７で検索した地図情報において、ＵＲＬのパラメータの値として含まれる緯度経度の位置に、パラメータ変換手段６で逆変換した物件名称、住所、電話番号等のパラメータの値として含まれた情報を表示させ（好適には、それらの情報を吹き出しの中に表示し、その吹き出しを地図情報に重畳して表示させ）、それを地図情報表示要求を行った利用者端末２に送信する手段である。
【００２９】
次に本発明の地図情報提供システム１の処理プロセスの一例を図２及び図３のフローチャート、図１の概念図を用いて説明する。
【００３０】
まず地図情報に、地図上の所定地点における店舗等の情報を表示させるための、パラメータとその値とを含んだＵＲＬを生成するための処理プロセスを説明する。
【００３１】
上記の処理を実行したい店舗等（カスタマイズ希望者）は、カスタマイズ希望者端末１０から所定の操作を行うことによって、地図情報提供システム１にアクセスする。この際に、ログインＩＤやパスワードなどの認証処理を設けても良い。
【００３２】
カスタマイズ希望者は、所定の方法、例えばキーワード検索や住所指定などにより、地図上に希望の情報を表示したい位置を指定する（Ｓ１００）。例えばその地図情報が図５に示す「家」アイコンの位置であったとする。そうすると、図５の「詳細設定」を選択することにより、カスタマイズ希望者端末１０から地図情報提供システム１に対して、ＵＲＬの生成要求をするための、入力画面の表示要求を受け付ける。この要求に基づいて、入力画面表示要求受付手段３は、その「家」アイコンの地図上における位置（好適には緯度経度による位置）の情報をパラメータの値として含んだＵＲＬを地図情報提供システム１からカスタマイズ希望者端末１０に渡す。それをカスタマイズ希望者端末１０で受け取る（Ｓ１１０）。
【００３３】
例えば当該「家」アイコンの緯度が北緯３５度４１分３４．２７８秒、経度が東経１３９度４５分３１．４５８秒の場合、図６に示すようにその位置情報をパラメータの値として含むＵＲＬ（例えばパラメータの値として「&lat=35.41.34.278&lon=139.45.31.458」を含むＵＲＬ）を地図情報提供システム１がカスタマイズ希望者端末１０に渡し、それをカスタマイズ希望者端末１０で取得する。なお、パラメータ「lat」は北緯の位置情報を示すパラメータであって「35.41.34.278」はその値を示す部分であり、「lon」は東経の位置情報を示すパラメータであって「139.45.31.458」はその値を示す部分である。なお、図６のＵＲＬにおける「http://www.navitime.co.jp」は地図情報提供システム１のＷＷＷサーバを示しており、「/map」はそのＷＷＷサーバにおいて、地図情報提供システム１を提供するディレクトリ（フォルダ）を示しており、それ以降がパラメータである。
【００３４】
またＵＲＬの生成要求を行うことを示す「詳細設定」を選択しているので、位置情報の他に、地図情報における「家」アイコンの位置に表示する情報をパラメータの値として含めたＵＲＬの生成を行うための画面（情報入力画面）をカスタマイズ希望者端末１０上で表示させる。情報入力画面の一例を図７に示す。
【００３５】
カスタマイズ希望者は、図７に示された情報入力画面から、所定の入力項目、例えば物件名称、住所、電話番号、コメントなどを入力する。この入力項目は、地図情報提供システム１で任意に設定することが出来る。入力後、図７の情報入力画面における「ＵＲＬ作成」ボタンを押下すると、ＵＲＬ生成要求と、各入力項目に入力した情報とがカスタマイズ希望者から地図情報提供システム１に渡され、地図情報提供システム１のＵＲＬ生成手段４でそれを受け付ける（Ｓ１２０）。
【００３６】
例えば「物件名称」として「（株）ナビタイムジャパン」、「住所」として「東京都千代田区神田神保町２丁目４番地  九段富士ビル９階」、電話番号として「０３１２３４５６７８」を入力した場合、ＵＲＬ生成要求とそれらの情報とをＵＲＬ生成手段４で受け付ける。
【００３７】
これらの情報を受け付けたＵＲＬ生成手段４は、入力項目に対応付けて入力された情報（以下、「ポップアップ情報」という。例えば上述の「（株）ナビタイムジャパン」など）を、所定の方法で変換する。この際にポップアップ情報は、ＵＲＬのパラメータの値として使用することが出来る文字コードなどに変換する。そして各入力項目をパラメータとして、変換後のポップアップ情報をそのパラメータに対応付けられた値として、ＵＲＬに含ませる（Ｓ１３０）。
【００３８】
こうして生成したＵＲＬをＵＲＬ生成手段４からカスタマイズ希望者端末１０に渡し、カスタマイズ希望者端末１０で表示する。例えば上述の図７の所定欄に表示する。この状態の情報入力画面を図８に示す。変換後のポップアップ情報がパラメータの値として含まれたＵＲＬの一例を図９に示す。図９ではパラメータ「nam」は物件名称を示すパラメータであって、パラメータ「tel」は電話番号を示すパラメータであって、パラメータ「address」は住所を示すパラメータである。各パラメータの「＝」の後に記載されているのがそのパラメータに対応する値（変換後のポップアップ情報）である。
【００３９】
ここで表示されたＵＲＬ（例えば図９）を、カスタマイズ希望者が、例えば自らのサイトの所定箇所（例えば「地図を表示する」等の箇所）にリンクとして貼り付けることで、利用者が当該リンクを選択することが出来る。
【００４０】
このＵＲＬのリンクが含まれたサイトを利用者は利用者端末２で表示し、例えば地図情報の表示を行いたい場合には、このリンクをクリックする（Ｓ２００）。
【００４１】
このリンクをクリックすることで、利用者端末２からは、ＵＲＬで指定されたＷＷＷサーバの地図情報提供システム１（ＵＲＬが図９の場合には、「http://www.navitime.co.jp/map/」にアクセスすることで（Ｓ２１０）、当該ＵＲＬに含まれたパラメータの対応するポップアップ情報を表示する地図情報の表示要求を行う。
【００４２】
地図情報提供システム１の地図情報表示要求受付手段５がＵＲＬとそこに含まれるパラメータとその値とを受け付けると、そのパラメータと値とをパラメータ変換手段６で受け取り、ＵＲＬに含まれるパラメータの値を所定の方法で、物件名称、住所、電話番号など、図７の情報入力画面の各入力項目に対応するポップアップ情報に逆変換する（Ｓ２２０）。この逆変換は、Ｓ１３０においてＵＲＬ生成手段４で、物件名称、住所、電話番号等のポップアップ情報をパラメータの値にとして変換したのと逆変換を行えばよい。
【００４３】
例えばパラメータ「nam」とその対応する値をＵＲＬから抽出しその値を逆変換することにより、物件名称として「（株）ナビタイムジャパン」を取得し、パラメータ「tel」とその対応する値をＵＲＬから抽出しその値を逆変換することにより、電話番号として「０３１２３４５６７８」を取得し、パラメータ「address」とその対応する値をＵＲＬから抽出しその値を逆変換することにより、住所として「東京都千代田区神田神保町２丁目４番地  九段富士ビル９階」を取得する。
【００４４】
また同じくＵＲＬからパラメータとその値とを取得すると、地図情報検索手段７は、地図情報における位置情報（緯度経度）を示すパラメータに基づいて、その位置付近の地図情報を地図情報記憶手段８から検索する（Ｓ２３０）。例えば図９に示すＵＲＬの場合、パラメータ「lon」は東経を示す位置情報であり、パラメータ「lat」は北緯を示す位置情報であるので、その各々の値に基づいて、当該位置情報（東経１３９度４５分３１．４５秒、北緯３５度４１分３４．２７秒）の付近の地図を地図情報記憶手段８から検索して取得する。
【００４５】
Ｓ２３０で地図情報検索手段７が検索した地図情報において、ＵＲＬに含まれる位置情報の位置に、Ｓ２２０で変換した物件名称、住所、電話番号等のポップアップ情報を、地図情報に表示させ（Ｓ２４０）、それを地図情報の表示要求を行った利用者端末２に、地図情報送信手段９が送信する（Ｓ２５０）。この状態が図４であり、図４の吹き出しを拡大した図が図１０である。
【００４６】
このような一連の処理を行うことで、カスタマイズ希望者は、自分の希望する位置に、予め定められた入力項目に対応した情報をポップアップ情報として、地図情報に表示させ、利用者に閲覧させることが出来る。またポップアップ情報として表示する情報は、適宜変更することも出来る。
【００４７】
上述の処理において、変換後のポップアップ情報をパラメータの値として含むＵＲＬをそのまま生成するのではなく、Ｓ１３０で生成したパラメータとその値について、更に暗号化を行う暗号化処理手段（図示せず）を設けても良い。この場合、暗号化処理手段では、Ｓ１３０で生成したパラメータとその値などについて、つまりＷＷＷサーバ及びそのディレクトリより下のパラメータとその値について、予め定められた暗号キーに基づいて暗号化してもよい。そしてその暗号化したデータは、暗号化されたパラメータであることを示すパラメータ「angou」の値としてＵＲＬに含ませる。図９のＵＲＬのうち、パラメータとその値を暗号化した場合のＵＲＬを図１１に示す。そしてカスタマイズ希望者は、リンクを張りたい箇所に、図１１に示すような暗号化されたＵＲＬを貼り付ける。
【００４８】
暗号化されたＵＲＬを利用者がクリックすると（Ｓ２００）、所定のサーバにアクセスし（Ｓ２１０）、地図情報の表示要求を地図情報表示要求受付手段５は受け付ける。そうすると、パラメータ変換手段６は、ＵＲＬのパラメータとして暗号化されたＵＲＬであることを示すパラメータ「angou」が含まれていることを判定する。そして復号化処理手段（図示せず）、まずパラメータ「angou」以下の、パラメータに対応する値を所定の復号キーで復号する。この際に、暗号方式が共通鍵暗号方式の場合には暗号キーと同一の復号キーで復号し、公開鍵暗号方式の場合には暗号キーに対応した、暗号キーとは異なる復号キーで復号する。復号したものを、上述のようにＳ２２０以降の処理プロセスで更に逆変換を行う。以下の処理は同様である。
【００４９】
本発明に於ける各手段は、その機能が論理的に区別されているのみであって、物理上あるいは事実上は同一の領域を為していても良い。
【産業上の利用可能性】
【００５０】
本発明によって、従来のように公知の情報提供データベースを用いずとも、ＵＲＬにパラメータの値としてこれらの情報を含めるだけでその情報を地図上で表示することが出来る。また情報提供データベースでの検索も不要となるので、全体的な処理も高速化することが出来る。
【図面の簡単な説明】
【００５１】
【図１】本発明のシステム構成の一例を示す概念図である。
【図２】ＵＲＬ生成を行う際の処理プロセスの一例を示すフローチャートの一例である。
【図３】地図情報の表示を行う際の処理プロセスの一例を示すフローチャートの一例である。
【図４】地図情報上にポップアップ情報が重畳して表示された場合の一例である。
【図５】地図情報の一例である。
【図６】位置情報を含むＵＲＬの一例である。
【図７】情報入力画面の一例である。
【図８】生成されたＵＲＬが表示された情報入力画面の一例である。
【図９】生成されたＵＲＬの一例である。
【図１０】ポップアップ情報の一例である。
【図１１】暗号化されたＵＲＬの一例である。
【符号の説明】
【００５２】
１：地図情報提供システム
２：利用者端末
３：入力画面表示要求受付手段
４：ＵＲＬ生成手段
５：地図情報表示要求受付手段
６：パラメータ変換手段
７：地図情報検索手段
８：地図情報記憶手段
９：地図情報送信手段
１０：カスタマイズ希望者端末
【図１】
2007213128.tif 000003
【図２】
2007213128.tif 000004
【図３】
2007213128.tif 000005
【図４】
2007213128.tif 000006
【図５】
2007213128.tif 000007
【図６】
2007213128.tif 000008
【図７】
2007213128.tif 000009
【図８】
2007213128.tif 000010
【図９】
2007213128.tif 000011
【図１０】
2007213128.tif 000012
【図１１】
2007213128.tif 000013